(57)【特許請求の範囲】
【請求項１】
外周を覆う周壁により一定の容積を有して構成されると共に周囲から草花が植えられて全体が草花で覆われる本体を備えて構成された植木鉢において、
前記本体を貫通する支柱を設けると共にこの支柱を中空状に成形して内部に水を貯め、一端がこの支柱内に挿入され他端が草花の根元側に配置されて毛細管現象により水を少しずつ草花の根元に供給する給水部材を備え、
前記本体が複数の枠体に分割されると共に各枠体の中央に内筒をそれぞれ備え、当該各内筒のうちの下側の内筒ほど前記支柱に係止する部分の内径を大きくすると共に、前記支柱が前記各内筒をそれぞれ係止するように下側ほど外径を大きくした段部を備え、前記支柱の各段部に前記各内筒が嵌合することで前記支柱が、積層された各枠体を貫通して一体的に固定支持することを特徴とする給水機能付き植木鉢。
【請求項２】
請求項１に記載の給水機能付き植木鉢において、
前記本体を上側から吊るす吊り部材を備えたことを特徴とする給水機能付き植木鉢。
【請求項３】
請求項１に記載の給水機能付き植木鉢において、
前記本体を下側から支持する下側支持部材を備えたことを特徴とする給水機能付き植木鉢。
【発明の詳細な説明】
【０００１】
【産業上の利用分野】
本発明は、草花の根元に長期間水を供給し続けることができる給水機能を備えた給水機能付き植木鉢に関し、特に吊り下げられたり、高い位置に載置する態様に用いて好適な給水機能付き植木鉢に関する。
【０００２】
【従来の技術】
一般に、草花を植える植木鉢では、土やその代用となる材料を内部に隙間なく充填し、この土等に草花を植え付ける。そして、水さし等で定期的に水をやり、土等が乾燥しないようにする。
【０００３】
このような草花を植える植木鉢の一例を図２９に示す。この図の植木鉢は実開平５−９１２８８号公報に記載されたもので、天井等から吊り下げる吊り鉢として構成されている。
【０００４】
この吊り鉢は、上段枠１と２つの側面枠２と下段枠３とからなり、これらを積層して一体的な吊り鉢を構成している。各枠１〜３の間には草花を植えるための切欠き４が形成され、この切欠き４に草花が植えられるようになっている。この吊り鉢は吊り紐（図示せず）によって吊り下げられる。
【０００５】
【発明が解決しようとする課題】
ところで、前述した吊り鉢では給水は、上側から水さし等で水を注ぐことで行なわれる。この場合、注がれた水が鉢の内部全体に浸透して、内部に充填された土等を十分に湿らせる。
【０００６】
ところが、吊り鉢の場合、吊られているという態様のために内部が乾燥しやすく、頻繁に水をやらなければならないという問題点がある。
【０００７】
本発明は以上述べたような問題点に鑑みてなされたもので、給水が必要な期間を長期化し得る給水機能付き植木鉢を提供することを目的とする。
【０００８】
【課題を解決するための手段】
前述した課題を解決するために第１の発明に係る給水機能付き植木鉢は、外周を覆う周壁により一定の容積を有して構成されると共に周囲から草花が植えられて全体が草花で覆われる本体を備えて構成された植木鉢において、前記本体を貫通する支柱を設けると共にこの支柱を中空状に成形して内部に水を貯め、一端がこの支柱内に挿入され他端が草花の根元側に配置されて毛細管現象により水を少しずつ草花の根元に供給する給水部材を備え、前記本体が複数の枠体に分割されると共に各枠体の中央に内筒をそれぞれ備え、当該各内筒のうちの下側の内筒ほど前記支柱に係止する部分の内径を大きくすると共に、前記支柱が前記各内筒をそれぞれ係止するように下側ほど外径を大きくした段部を備え、前記支柱の各段部に前記各内筒が嵌合することで前記支柱が、積層された各枠体を貫通して一体的に固定支持することを特徴とする。
【０００９】
第２の発明に係る給水機能付き植木鉢は、前記本体を上側から吊るす吊り部材を備えたことを特徴とする。
【００１０】
第３の発明に係る給水機能付き植木鉢は、前記本体を下側から支持する下側支持部材を備えたことを特徴とする。
【００１１】
【作用】
第１の発明では、支柱内に貯められた水が給水部材の毛細管現象によって少しずつ草花の根元に供給される。これにより、草花に長期間給水し続けることができるようになり、水をやる回数を大幅に減らすことができる。
【００１２】
第２の発明では、吊り部材によって天井等から吊るされると内部が乾燥しやすくなり、このような場合は特に本発明の給水機能が有効である。
【００１３】
第３の発明の場合も前記第２の発明の場合と同様に、内部が乾燥しやすくなり、本発明の給水機能が有効である。
【００１４】
【実施例】
以下、本発明の実施例について図面を参照しながら説明する。
【００１５】
［第１実施例の構成］
本実施例に係る給水機能付き植木鉢は、図１から図１２に示す構成を有している。
【００１６】
この給水機能付き植木鉢は、２段積層型吊り鉢１１として構成されている。具体的には、図１及び図２に示すように、外周を覆う周壁により全体をほぼ球形状に形成され周囲から草花が植えられて全体が草花で覆われる鉢本体１２と、この鉢本体１２を天井等から回転可能に吊り下げる吊り部材としての吊り棒１３とから概略構成されている。
【００１７】
鉢本体１２は、２段に分割された各枠体（上段枠体１４及び下段枠体１５）と、これらを積層した状態で支持する支柱１６と、各枠体１４，１５に支柱１６を挿入した状態で全体を固定支持する締付けノブ１７とから構成されている。これらの各部品は全部射出成形等により、合成樹脂で成形されている。
【００１８】
上段枠体１４は、球形状の鉢本体１２の上部を構成するもので、図３及び図４に示すようになっている。この上段枠体１４は、球面の一部を構成する周壁２１と、この周壁２１の下端縁部に下方に向けて環状に形成された断面コ字状の嵌合部２２と、周壁２１の中心部に上下方向に向けて設けられた内筒２３とから構成されている。内筒２３は周壁２１側にリブ２４で支持されている。このリブ２４は周壁２１の上端部にのみ設けられている。
【００１９】
周壁２１の上端縁部には、６ヵ所の位置に等間隔にＵ字状の切欠き２６が設けられている。この切欠き２６には、薄くて容易に破ることができる薄膜（図示せず）が、上段枠体１４の射出成形等の際に一体的に成形される。草花は積層型吊り鉢１１の内部に植えられた状態で、この切欠き２６から外部に出される。このとき、薄膜は草花の茎の大きさに合せて切り取る。さらに、周壁２１の上端部には３ヵ所の位置に等間隔に吊り棒１３の先端を係止させる係止穴２７が設けられている。この係止穴２７は上側が小さく下側が大きい２つの円形穴を合わせた形状に構成され、吊り棒１３の先端が大きい穴から挿入されて小さい穴に係止するようになっている。
【００２０】
内筒２３の下端部には、内方へ縮径して形成した縮径フランジ２３Ａが設けられている。この縮径フランジ２３Ａは、後述する支柱１６の第１段部１６Ｃに係止して球形状の鉢本体１２の一部を構成する。内筒２３の下端の内径は、後述する下段枠体１５の内筒３４の上端の外径より僅かに大きく設定されている。これにより、上段枠体１４の内筒２３に下段枠体１５の内筒３４が嵌まり込み、縮径フランジ２３Ａが下段枠体１５の内筒３４の上端に当接することで、上段枠体１４と下段枠体１５とが互いに嵌合してずれないようになっている。さらに、上段枠体１４の内筒２３の側部には対向した２ヵ所の位置に給水口３１が設けられている。この給水口３１には後述する給水ヒモ４５が通される。
【００２１】
下段枠体１５は、球形状の鉢本体１２の下部を構成するもので、図５及び図６に示すようになっている。全体は皿状の周壁３３によって構成され、この周壁３３の中央部に内筒３４が設けられている。周壁３３の上端縁部には、６ヵ所の位置に等間隔にＵ字状の切欠き３５が設けられている。この切欠き３５には、前記上段枠体１４と同様の薄膜が設けられる。
【００２２】
内筒３４の内径は、後述する支柱１６の下柱部１６Ｂの外径よりも僅かに大きく設定されている。さらに、内筒３４の下端部３４Ａは、支柱１６の第２段部１６Ｄが嵌合し得るように、この第２段部１６Ｄと同じ形状の段部を設けて形成されている。これにより、下段枠体１５と支柱１６とは互いに回転しないように嵌合し、下段枠体１５が球形状の鉢本体１２の下部を構成するようになっている。
【００２３】
以上の構成の各枠体１４，１５は互いに重ね合わせて小さな容積に重ねられるように設定されている。具体的には、図１１及び図１２に示すように、下段枠体１５の内部に上段枠体１４が逆さまに収納され、全体の容積を鉢本体１２のほぼ２分の１にまで小さくできるようになっている。これは、保管時や輸送時に嵩ばらないようにするためである。
【００２４】
支柱１６は、図７から図１０に示すように、上方へ向け２段階に縮径して形成されている。径の小さい上柱部１６Ａは、上段枠体１４の内筒２３の縮径フランジ２３Ａが嵌合し得る径に設定されている。下柱部１６Ｂは下段枠体１５の内筒４２が嵌合し得る径に設定されている。
【００２５】
各柱部１６Ａ，１６Ｂの各下端部には第１段部１６Ｃ及び第２段部１６Ｄがそれぞれ形成されている。この各段部１６Ｃ，１６Ｄで上段枠体１４及び下段枠体１５がそれぞれ支持される。第２段部１６Ｄは図９に示すように、円形の一部を切り取った状態に形成され、下段枠体１５の内筒３４の下端部３４Ａに嵌合した状態で互いに回転しないようになっている。
【００２６】
支柱１６の上端部には雄ねじ１６Ｅが形成され、この雄ねじ１６Ｅに締付けノブ１７が螺合される。この支柱１６は、図１０に示すように、内部が中空で、水を貯めることができる容器になっている。支柱１６の上端面には注水口４１が設けられている。この注水口４１から支柱１６内に草花に給水するための水が注ぎ込まれる。支柱１６の上柱部１６Ａの側面には対向する２ヵ所の位置に給水口４２が設けられている。この給水口４２は前記上段枠体１４の内筒２３に設けた給水口３１と同様の大きさ及び形状を有し、かつ各枠体１４及び支柱１６が組み立てられた状態で各給水口３１，４２が整合するようになっている。この支柱１６の給水口４２は次のようにして形成される。即ち、支柱１６はブロー成形により、図１０中の２点鎖線で示すように、２つの突起部４３を有して成形され、後で各突起部４３を切り落として各給水口４２を形成している。
【００２７】
鉢本体１２内と支柱１６内との間には、図１に示すように、毛細管現象により水を少しずつ草花の根元に供給する給水部材としての給水ヒモ４５が配設されている。この給水ヒモ４５は、支柱１６の給水口４２と上段枠体１４の給水口３１とが整合した状態で、一端が支柱１６内の底部に、他端が鉢本体１２内に植えられる草花の根元側に配置されている。この給水ヒモ４５の材料としては主に綿等の布が用いられる。
【００２８】
吊り棒１３は、図２及び図１１に示すように、３本配設された長尺の直線状の棒状部１３Ａと、この棒状部１３Ａの上端に回転可能に設けられたフック１３Ｂと、棒状部１３Ａの下端に設けられた頭部１３Ｃとから構成されている。頭部１３Ｃは棒状部１３Ａの直径よりも大きな径を有するほぼ半球状に形成され、上段枠体１４の係止穴２７に嵌合される。この頭部１３Ｃには係止穴２７に挿入される突起部１３Ｄと、この突起部１３Ｄの先端部に設けられてこの突起部１３Ｄの抜け落ちを防ぐ拡径部１３Ｅが設けられている。
【００２９】
締付けノブ１７は図１に示すように主に、内側面に雌ねじ５１が施された筒部１７Ａと、上段枠体１４の内筒２３に嵌合して上段枠体１４を上側から位置決めして支持する拡径部１７Ｂと、手で持って締め付けたり緩めたりする支持部１７Ｃとから概略構成されている。さらに、支持部１７Ｃは、皿状に形成されて、その中央部に支柱１６の注水口４１に嵌合する管部１７Ｄを有し、支柱１６内に水を注ぐ漏斗として機能するようになっている。
【００３０】
［第１実施例の作用］
以上のように構成された積層型吊り鉢１１は、工場出荷時や保管時等においては、図１１及び図１２に示すように分解して小さく梱包されている。即ち、図１２に示すように、下段枠体１５内に上段枠体１４をその上下を逆さにして収納する。これにより、容積をほぼ２分の１にしている。
【００３１】
この重ねた各枠体１４，１５や支柱１６及び吊り棒１３等の各部材は、図１１中に破線で示すケースＡ等の容器に挿入され、全体の容積を小さくしている。なおここで、係止部１３の棒状部１３Ａは、図中の２点鎖線で示すように湾曲させることで、ケースＡ内に収納できる。
【００３２】
草花を植えるときは次のようにする。まず、支柱１６を下段枠体１５の内筒３４に下側から挿入する。この支柱１６の第２段部１６Ｄを内筒３４の下端部３４Ａに嵌合させる。そして、下段枠体１５内に土や土の代用品を入れ、この土等に草花を植え、この草花の先端を下段枠体１５の各切欠き３５から外部に出す。このとき、切欠き３５に形成された薄膜を草花の茎の径に合せて切り取る。この薄膜は薄くて弱いため、草花が成長して茎が大きくなった場合は、この茎によって薄膜が押し広げられる。
【００３３】
次いで、上段枠体１４を支柱１６に挿入して下段枠体１５の上に重ねる。このとき、支柱１６の給水口３１と内筒２３の給水口４２とを互いに整合させる。さらに、下段枠体１５の周壁３３の上端縁部を上段枠体１４の嵌合部２２に嵌合させると共に、上段枠体１４の内筒２３を下段枠体１５の内筒３４に嵌合させる。このとき、上段枠体１４の内筒２３の縮径フランジ２３Ａが支柱１６の第１段部１６Ｃに当接して支持される。この結果、上段枠体１４と下段枠体１５とがそれぞれ支柱１６に支持された状態で互いにずれないように嵌合して、球形状の鉢本体１２を構成する。この状態で、給水ヒモ４５が給水口３１，４２に挿入され、鉢本体１２内と支柱１６内とを結ぶ。次いで、上段枠体１４内に土等を入れる。この土等に草花を植え、切欠き２６から草花の先端を出す。この切欠き２６の場合も前記同様に、薄膜を適当な大きさに切り取る。
【００３４】
次いで、締付けノブ１７を支柱１６の雄ねじ１６Ｅに螺合させる。これにより、締付けノブ１７の拡径部１７Ｂが上段枠体１４の内筒２３に嵌合すると共に、支持部１７Ｃが内筒２３を上側から押えてこの上段枠体１４を支柱１６側に固定支持する。さらに、上段枠体１４は下段枠体１５を固定支持している。この結果、締付けノブ１７を締め付けることで、各枠体１４，１５が支柱１６に嵌合された状態で全体が一体的に固定支持される。
【００３５】
次いで、吊り棒１３の各頭部１３Ｃを上段枠体１４の係止穴２７にそれぞれ引っ掛け、フック１３Ｂを天井等に掛ける。これにより、積層型吊り鉢１１を窓ぎわや軒先やベランダ等に吊り下げる。このとき、吊り棒１３はあまり撓まない棒材であり、鉢本体１２だけを手で持っても吊り棒１３が上方に延出した状態を維持できるため、鉢本体１２だけを手で持って、フック１３Ｂを天井等に容易に掛けることができる。
【００３６】
一方、草花に水をやるときは水差し等で締付けノブ１７に水を注ぐ。締付けノブ１７では、その上側に貯まった水が管部１７Ｄから支柱１６内に注ぎ込まれる。支柱１６内に貯まった水は給水ヒモ４５の毛細管現象によって少しずつ草花の根元に供給される。そして、支柱１６内の水が減少してきたころを見計らって、定期的に水を補給してやる。
【００３７】
また、鉢本体１２内が極度に乾燥しているような場合は、締付けノブ１７を介さずに鉢本体１２の上側から直接に水を注ぎ込む。これにより、水は土等の内部及び各枠体１４，１５の内側壁を伝って下段枠体１５の底部まで滲み込む。このとき、各枠体１４，１５の接続部分は嵌合部２２によって覆われているため、水はこの嵌合部２２に沿ってその下側の下段枠体１５の内側壁に流れる。この結果、水が外部に漏出することがなくなる。さらに、各切欠き２６，３５では、薄膜を設けて開口を必要最小限に抑えているため、この切欠き２６，３５からの水の漏出も防止する。
【００３８】
また、吊り棒１３のフック１３Ｂは棒状部１３Ａに対して回転可能に支持されているため、鉢本体１２を自由に回転させることができる。これにより、鉢本体１２の全周に植えられた草花に十分に光が当たるように、この鉢本体１２を適宜回転させる。
【００３９】
［第１実施例の効果］
以上のように、支柱１６を中空状に成形して内部に水を貯め、給水ヒモ４５による毛細管現象によって草花の根元に水を少しずつ供給するようにしたので、給水の必要な期間が長期化し、水をやる回数を減らすことができる。
【００４０】
また、吊り棒１３によって天井等から吊るされる構成の場合は鉢本体１２内が乾燥しやすいため、特に効果的である。
【００４１】
さらに、上段枠体１４の周壁２１の下端縁部に嵌合部２２を設けたので、各枠体１４，１５の接続部分を流れる水が、この接続部分から外部に漏れ出すのを確実に防止することができる。また、各切欠き２６，３５に薄膜を設けたので、この切欠き２６，３５から外部に水が漏れ出すのも確実に防止することができる。
【００４２】
［第２実施例の構成］
本実施例に係る給水機能付き植木鉢は、図１３から図２５に示す構成を有している。
【００４３】
本実施例の給水機能付き植木鉢は、３段積層型吊り鉢５１として構成されている。この積層型吊り鉢５１の全体構成は前記第１実施例の積層型吊り鉢１１とほぼ同様である。具体的には、図１３に示すように、鉢本体５２と吊り棒５３とから概略構成されている。
【００４４】
鉢本体５２は、３段に分割された各枠体（上段枠体５４、中段枠体５５及び下段枠体５６）と、これらを積層した状態で支持する支柱５７と、全体を固定支持する締付けノブ５８とから構成されている。
【００４５】
上段枠体５４は、図１３から図１５に示すように、周壁６１と、この周壁６１の下端縁部に形成された嵌合部６２と、周壁６１の中心部に設けられた内筒６３とから構成されている。内筒６３は周壁６１側にリブ６４で支持されている。
【００４６】
周壁６１の上端縁部には切欠き６６が設けられ、この切欠き６６には薄膜（図示せず）が成形される。さらに、周壁６１の上端部には３ヵ所の位置に係止穴６７が設けられている。
【００４７】
内筒６３の下端部には縮径フランジ６３Ａが設けられている。内筒６３の側部には対向した２ヵ所の位置に給水口７１が設けられている。この給水口７１に給水ヒモ７５が通される。
【００４８】
中段枠体５５は、前記上段枠体５４とほぼ同様の構成を有し、図１３、図１６及び図１７に示すようになっている。全体は、球面の一部を構成する周壁７６と、この周壁７６の下端縁部に下方に向けて環状に形成された断面コ字状の嵌合部７７と、周壁７６の中心部に設けられた内筒７８とから構成されている。内筒７８は周壁７６側にリブ７９で支持されている。このリブ７９は周壁７６の下端部にのみ設けられている。周壁７６の上端縁部には、６ヵ所の位置に切欠き８０が設けられている。この切欠き８０には薄膜が設けられる。
【００４９】
内筒７８の内径は、支柱５７の第２段部５７Ｅに合せてその大きさが設定されている。内筒７８の下端部には、下段枠体５６の内筒８４の上端外径に合せた環状壁７８Ａが設けられている。この環状壁７８Ａが下段枠体５６の内筒８４に嵌合することで、中段枠体５５と下段枠体５６とが互いに嵌合してずれないようになっている。
【００５０】
下段枠体５６は、球形状の鉢本体５２の下部を構成するもので、図１３、図１８及び図１９に示すようになっている。全体は皿状の周壁８３と、この周壁８３の中央部に設けられた内筒８４とから構成されている。周壁８３の上端縁部には切欠き８５が設けられている。この切欠き８５には薄膜が設けられる。内筒８４の内径及び下端部形状は、支柱５７に合せて形成されている。
【００５１】
以上の構成の各枠体５４，５５，５６は互いに重ね合わせて小さな容積になるように設定されている。具体的には、図２５に示すように、中段枠体５５の内部に上段枠体５４が逆さまに収納され、この上段枠体５４の内部に下段枠体５６が収納され、全体の容積を鉢本体５２のほぼ３分の１にまで小さくできるようになっている。これは、保管時や輸送時に嵩ばらないようにするためである。
【００５２】
支柱５７は、図２０から図２３に示すように、上方へ向け３段階に縮径して形成されている。径の小さい上柱部５７Ａは、上段枠体５４の内筒６３の縮径フランジ６３Ａが嵌合し得る径に設定されている。中柱部５７Ｂは中段枠体５５の内筒７８に合せて設定されている。下柱部５７Ｃは下段枠体５６の内筒８４に合せて設定されている。
【００５３】
各柱部５７Ａ，５７Ｂ，５７Ｃの各下端部には第１段部５７Ｄ、第２段部５７Ｅ及び第３段部５７Ｆがそれぞれ形成されている。この各段部５７Ｄ，５７Ｅ，５７Ｆでは、上段枠体５４、中段枠体５５及び下段枠体５６がそれぞれ支持される。
【００５４】
支柱５７の上端部には雄ねじ５７Ｇが形成されている。この支柱５７は、内部が中空で、水を貯めることができる容器になっている。支柱５７の上端面には注水口４１が設けられている。支柱５７の上柱部５７Ａには給水口８７が設けられている。鉢本体５２内と支柱５７内との間には、図１３に示すように、給水ヒモ７５が配設されている。
【００５５】
吊り棒５３及び締付けノブ５８は、前記第１実施例の吊り棒１３及び締付けノブ１７と同様の構成を有している。
【００５６】
［第２実施例の作用及び効果］
以上のように構成された積層型吊り鉢５１では、上段枠体５４、中段枠体５５及び下段枠体５６がそれぞれ積層され、内部に給水ヒモ７５が装着されて、支柱５７及び締付けノブ５８で全体が一体的に固定支持される。これにより、前記第１実施例と同様の作用、効果を奏する。
【００５７】
［変形例］
なお、前記各実施例では、鉢本体１２，５２を２つまたは３つに分割した場合を例に説明したが、１つまたは４つ以上に分割しても前記各実施例同様の作用、効果を奏することができる。
【００５８】
さらに、前記各実施例では、鉢本体１２，５２を吊り棒１３，５３によって上側から吊るす場合を例に説明したが、下側から支持するようにしても前記各実施例同様の作用、効果を奏することができる。鉢本体１２，５２を下側から支持する手段としては、下段枠体１５，５６を下側から支持する三脚や載置台等の他、支柱１６，５７と一体的に接続した棒状のスタンド等が用いられる。
【００５９】
また、前記実施例では、鉢本体１２，５２を球形状に形成した場合を例に説明したが、鉢本体１２，５２は直方体等の他の形状にしてもよい。例えば直方体にする場合は、互いに収納できるように、多少樽型状にふくらみを持たせた形状にする。
【００６０】
また、前記各実施例では、吊り棒１３，５３を一体的に構成した。即ち、３本の棒状部１３Ａを一体的に成形したが、図２６から図２８に示すように、別部材として構成してもよい。具体的には、棒状部９１とフック９２が別部材として構成されている。棒状部９１の上端部には係止環９１Ａが設けられている。フック９２の基端部には、棒状部９１の係止環９１Ａを係止するための係止用爪９３を等間隔に３つ設けている。吊り棒をこのように構成すると、図２８に示すように、棒状部９１とフック９２とを分離した状態で箱等に収納することができ、前記各実施例よりもさらに小さく梱包することができるようになる。
【００６１】
また、前記各実施例では、吊り棒１３等を３本の棒状部１３Ａを有して構成したが、１本の棒状部１３Ａによって構成してもよい。この場合は、例えば締付けノブ１７の支持部１７Ｃの中央位置の上部に棒状部１３Ａを支持する棒状部支持部を設け、支持部１７Ｃの周縁部から３本程度のリブを延ばし、このリブによって棒状部支持部を支持することになる。さらに、吊り棒１３の代わりに、紐等の他の吊り部材を用いてもよい。
【００６２】
【発明の効果】
以上詳細に説明したように本発明によれば、次の効果を奏することができる。
【００６３】
（１）  本体を貫通する支柱の内部に水を貯め、支柱内と草花の根元側とを結んで毛細管現象により水を少しずつ供給する給水部材を備えたので、給水の必要な期間を長期化し、水をやる回数を減らすことができる。
【００６４】
（２）  本体が複数の枠体に分割されると共に前記支柱が、積層された各枠体を貫通して一体的に固定支持する構成の給水機能付き植木鉢においても、前記同様に水をやる回数を減らすことができる。
【００６５】
（３）  吊り部材によって本体を上側から吊るす場合、特に本体内部が乾燥しやすいので、本願の給水機能を設けることが効果的である。
【００６６】
（４）  下側支持部材で本体を下側から支持する場合も、本体内部が乾燥しやすく、本願の給水機能を設けることが効果的である。
【図面の簡単な説明】
【図１】  本発明の第１実施例に係る給水機能付き植木鉢の鉢本体を示す側面断面図である。
【図２】  図１の鉢本体に吊り棒を装着した状態を示す正面図である。
【図３】  鉢本体の上段枠体を示す平面図である。
【図４】  鉢本体の上段枠体を示す一部破断側面図である。
【図５】  鉢本体の下段枠体を示す平面図である。
【図６】  鉢本体の下段枠体を示す一部破断側面図である。
【図７】  支柱を示す正面図である。
【図８】  支柱を示す側面図である。
【図９】  支柱を示す平面図である。
【図１０】  支柱を示す側面断面図である。
【図１１】  鉢本体、吊り棒及び支柱等を梱包した状態を示す概略平面図である。
【図１２】  鉢本体、吊り棒及び支柱等を梱包した状態を示す概略側面図である。
【図１３】  本発明の第２実施例に係る給水機能付き植木鉢を示す側面断面図である。
【図１４】  第２実施例に係る鉢本体の上段枠体を示す平面図である。
【図１５】  第２実施例に係る鉢本体の上段枠体を示す一部破断側面図である。
【図１６】  鉢本体の中段枠体を示す平面図である。
【図１７】  鉢本体の中段枠体を示す一部破断側面図である。
【図１８】  鉢本体の下段枠体を示す平面図である。
【図１９】  鉢本体の下段枠体を示す一部破断側面図である。
【図２０】  支柱を示す正面図である。
【図２１】  支柱を示す側面図である。
【図２２】  支柱を示す平面図である。
【図２３】  支柱を示す側面断面図である。
【図２４】  鉢本体、吊り棒及び支柱等を梱包した状態を示す概略平面図である。
【図２５】  鉢本体、吊り棒及び支柱等を梱包した状態を示す概略側面図である。
【図２６】  吊り棒の変形例としてのフック及び棒状部を示す正面図である。
【図２７】  図２６のフックを示す裏面図である。
【図２８】  鉢本体、吊り棒及び支柱等を梱包した状態を示す概略平面図である。
【図２９】  従来の吊り鉢を示す分解斜視図である。
【符号の説明】
１１…積層型吊り鉢、１２…鉢本体、１３…吊り棒、１４…上段枠体、１５…下段枠体、１６…支柱、１７…締付けノブ、１７Ｄ…管部、３１，４２…給水口、４５…給水ヒモ。
【図１】
0003662280.tif 000002
【図２】
0003662280.tif 000003
【図３】
0003662280.tif 000004
【図４】
0003662280.tif 000005
【図５】
0003662280.tif 000006
【図６】
0003662280.tif 000007
【図７】
0003662280.tif 000008
【図８】
0003662280.tif 000009
【図９】
0003662280.tif 000010
【図１０】
0003662280.tif 000011
【図１１】
0003662280.tif 000012
【図１２】
0003662280.tif 000013
【図１３】
0003662280.tif 000014
【図１４】
0003662280.tif 000015
【図１５】
0003662280.tif 000016
【図１６】
0003662280.tif 000017
【図１７】
0003662280.tif 000018
【図１８】
0003662280.tif 000019
【図１９】
0003662280.tif 000020
【図２０】
0003662280.tif 000021
【図２１】
0003662280.tif 000022
【図２２】
0003662280.tif 000023
【図２３】
0003662280.tif 000024
【図２４】
0003662280.tif 000025
【図２５】
0003662280.tif 000026
【図２６】
0003662280.tif 000027
【図２７】
0003662280.tif 000028
【図２８】
0003662280.tif 000029
【図２９】
0003662280.tif 000030